(57)【特許請求の範囲】
【請求項１】
体験室と、体験室の上方に構成された騒音発生空間とを備え、
上記体験室と騒音発生空間とを仕切る仕切り材は、互いに構造が異なる複数種類の床構造体で構成されており、
騒音発生用の落下物を、上記騒音発生空間に搬送して複数種類の床構造体のうち選択的に１つの床構造体に落下させる落下物搬送手段を備えており、
この落下物搬送手段は、体験室の側方に設置され、落下物を騒音発生空間まで移動させるリフト機構を備えたリフト通路と、リフト通路の上端部に連続し、リフト機構によりリフト通路の上端部に達した落下物を騒音発生空間に搬送する水平通路と、各床構造体毎に設けられ、一端が水平通路に連続し、他端が各床構造体のうち１つの床構造体の上方で開放する複数の分岐通路とを備え、上記水平通路と各分岐通路との接続部分には、水平通路を経てこの接続部分に達した落下物を各分岐通路のうち１つの分岐通路に選択的に供給するゲートが設けられていることを特徴とする床防音体験装置。
【請求項２】
請求項１記載の床防音体験装置において、
落下物搬送手段は、複数の床構造体のうちの１つの床構造体に落下物を落下させた後、この落下物をリフト通路に回収し、落下物を他の床構造体に落下させる構成となっていることを特徴とする床防音体験装置。
【請求項３】
請求項１記載の床防音体験装置において、
リフト通路の下端には、該リフト通路に落下物を供給するための供給口が設けられており、
上記供給口は、体験室内に居る体験者がこの供給口からリフト通路へ落下物の供給を可能とするように、体験室内に開放していることを特徴とする床防音体験装置。
【請求項４】
請求項１記載の床防音体験装置において、
床構造体の１つはＡＬＣ床構造で成り、他は在来木造床構造で成ることを特徴とする床防音体験装置。
【発明の詳細な説明】
【０００１】
【発明の属する技術分野】
本発明は床構造体の防音状態を体験する装置に係る。特に、本発明は構造の異なる複数種類の床構造体の防音状態の体験が可能な装置に関するものである。
【０００２】
【従来の技術】
従来より、工業化住宅では、各部の仕様が多種多様にわたっている。これら仕様の違いによって、住宅の防音性などが異なる。特に、複数階住宅にあっては、上層階の騒音を下層階へ伝達し難くするための防音性能は、上層階の床構造によって大きく変わる。
【０００３】
これまで、床構造体の防音性能は、測定データ等がカタログに記載されているに過ぎなかった。
【０００４】
【発明が解決しようとする課題】
しかし、家を建てる者にとっては、測定データを見ても実際の防音性能がどの程度であるか判らないのが実情である。
【０００５】
本発明は、かかる点に鑑みてなされたものであり、構造の異なる床構造体それぞれの防音性能を体感することができる床防音体験装置を提供することを目的としている。
【０００６】
【課題を解決するための手段】
−発明の概要−
上記目的を達成するために、本発明は、下層階と上層階とを仕切る仕切り材を構成の異なる複数種類の床構造体で成し、それぞれの床構造体に対して個別に防音状態を体感できようにしたものである。
【０００７】
−解決手段−
具体的に、本発明が講じた第１の解決手段は、体験室と、体験室の上方に構成された騒音発生空間とを備えさせる。上記体験室と騒音発生空間とを仕切る仕切り材を、互いに構造が異なる複数種類の床構造体で構成する。また、騒音発生用の落下物を、上記騒音発生空間に搬送して複数種類の床構造体のうち選択的に１つの床構造体に落下させる落下物搬送手段を備えさせている。そして、この落下物搬送手段を、体験室の側方に設置する。また、この落下物搬送手段に、リフト通路と水平通路と複数の分岐通路とを備えさせる。リフト通路は、落下物を騒音発生空間まで上昇移動させるリフト機構を備えている。水平通路は、リフト通路の上端部に連続し、リフト機構によりリフト通路の上端部に達した落下物を騒音発生空間に搬送する。各分岐通路は、各床構造体毎に設けられ、一端が水平通路に連続し、他端が各床構造体のうち１つの床構造体の上方で開放している。また、上記水平通路と各分岐通路との接続部分に、水平通路を経てこの接続部分に達した落下物を各分岐通路のうち一部の分岐通路に選択的に供給するゲートを設けている。
【０００８】
この特定事項により、体験室内に体験者が居る状態で構造の異なる床構造体に対して床防音体験ができる。この床防音体験では、落下物搬送手段によって搬送された落下物を、各床構造体に個別に落下させ、その落下によって発生する騒音が体験室に伝達する。体験者は、体験室内に居て、各床構造体毎に体験室に伝達する騒音を比較できる。より具体的には、床防音体験を行う際、落下物はリフト機構によってリフト通路内を上昇移動する。リフト通路の上端部に達した落下物は水平通路を経てゲートに達する。ゲートは各分岐通路のうち一部の分岐通路に選択的に落下物を供給する。分岐通路を経た落下物は１つの床構造体に落下する。これにより、体験室内の体験者は床構造体の防音状態が体験できる。
【００１１】
第２の解決手段は、上記第１の解決手段において、落下物搬送手段が、複数の床構造体のうちの１つの床構造体に落下物を落下させた後、この落下物をリフト通路に回収し、落下物を他の床構造体に落下させる構成としている。
【００１２】
この特定事項により、各床構造体に対して連続的に落下物を落下させることができる。つまり、各床構造体に対する床防音体験が連続して行われる。
【００１３】
第３の解決手段は、上記第１の解決手段において、リフト通路の下端に、リフト通路に落下物を供給するための供給口を設ける。この供給口を、体験室内に居る体験者がこの供給口からリフト通路へ落下物の供給を可能とするように、体験室内に開放している。
【００１４】
この特定事項により、体験者は体験室内に居ながら落下物搬送手段に落下物を供給することが可能となる。
【００１５】
第４の解決手段は、上記第１の解決手段において、床構造体の１つをＡＬＣ床構造とし、他を在来木造床構造としている。
【００１６】
この特定事項により、在来木造床構造に対してＡＬＣ床構造の方が防音性能に優れていることが容易に認識できる。つまり、本床防音体験装置を、ＡＬＣ床構造の防音性能の優位性を体験する装置として実現できる。
【００１７】
【発明の実施の形態】
以下、本発明の実施の形態を図面に基づいて説明する。
【００１８】
図１は、本発明に係る床防音体験装置が設置される住宅設備体験施設Ａの内部を示す施設全体図である。この図１におけるＢが床防音体験装置である。また、この施設Ａには、床防音体験装置Ｂの他に、換気システム体験装置Ｃ、ガラス遮熱性能体験装置Ｄ等の種々の体験装置が展示されている。各体験装置により、家を建てようとする者が、住宅各部の仕様の差による防音性能や遮熱性能等の各種性能の差を体感できるようになっている。
【００１９】
−床防音体験装置の構成説明−
以下、床防音体験装置Ｂについて説明する。
【００２０】
図２は床防音体験装置Ｂの正面図、図３はその平面図である。これら図のように、本床防音体験装置Ｂは、躯体１１、１１によって支持された体験用小屋１と、落下物搬送手段としての落下物搬送機２とを備えている。
【００２１】
体験用小屋１は、1 階部分である体験室１２と、2 階部分である騒音発生空間１３とが仕切り材１４によって上下に仕切られている。
【００２２】
体験室１２は、四方が壁１２ａによって囲まれた空間である。つまり、この体験室１２は、2 階建住宅の1 階部分を想定して構成されたものである。この体験室１２の前側の壁１２ａにはドア１２ｂが設けられている。このドア１２ｂを開けて体験者が体験室１２内に入室できるようになっている。
【００２３】
騒音発生空間１３は上方向及び水平方向に開放された空間である。この騒音発生空間１３は、2 階建住宅の２階部分を想定して構成されたものである。
【００２４】
次に、この体験室１２と騒音発生空間１３とを仕切っている仕切り材１４について説明する。この仕切り材１４は、図２及び図３における右側半分と左側半分とで床構造が異なっている。具体的には、図中右側の床構造体１５は在来木造床構造で成っている。一方、左側の床構造体１６はＡＬＣ床構造で成っている。図２における１５ａ、１６ａは天井板、１５ｂ、１６ｂは床板、１５ｃは吊木、１５ｄは吊木受け、１６ｃはＡＬＣボード、１６ｄは天井梁、１６ｅは野縁、１６ｆは野縁受けである。つまり、本装置Ｂは、同一仕切り材１４の一部を在来木造床構造とし、他をＡＬＣ床構造とすることによって、この両者の防音性能の比較体験を可能とし、それによってＡＬＣ床構造の防音性能の優位性を体験することができるようにしたものである。
【００２５】
次に、落下物搬送機２について説明する。図４は落下物搬送機２を体験室１２側から見た側面図である。この落下物搬送機２は、上記仕切り材１４上面に鋼球等の落下物３を落下させて騒音を発生させるように落下物３を仕切り材１４上方まで搬送するようになっている。具体的に、この落下物搬送機２は、上記体験用小屋１の側方に設けられており、落下物３を仕切り材１４上方まで搬送するためのリフタ２１を備えている。このリフタ２１は、内部にリフト通路２２ａを有する角柱状のリフタ本体２２とリフタ本体２２の内部に収容されたリフト機構２３を備えている。このリフト機構２３は、リフト通路２２ａの上下両端部に位置して水平軸回りに回転するスプロケット２３ａ，２３ａを備えている。下側のスプロケット２３ａには図示しないモータの駆動軸が連結されている。この両スプロケット２３ａ，２３ａにはチェーン２３ｂが掛け渡されている。また、このチェーン２３ｂには落下物３を載置するためのパレット２３ｃが取り付けられている。つまり、上記モータの駆動によりスプロケット２３ａ，２３ａが回転し、それに伴ってチェーン２３ｂが走行する。これによりパレット２３ｃが上下移動する構成となっている。パレット２３ｃ上に落下物３を載置した状態でモータを駆動してパレット２３ｃを上昇移動させれば落下物３を仕切り材１４よりも高い位置まで搬送できる構成である。
【００２６】
また、リフタ本体２２は、内部での落下物３の搬送状態が容易に認識できるように、各側面に大型の開口２２ｂが形成されている。
【００２７】
更に、リフト通路２２ａの下端部分は体験室１２内に臨んでおり、その開口が供給口１２ｃを形成している。この供給口１２ｃには体験室１２内からの開放が可能な扉１２ｄが設けられている。この扉１２ｄの下側には、動作開始スイッチ１２ｅが設けられている。
【００２８】
体験室１２の内壁面で上記供給口１２ｃの下側には複数の落下物３、３、３を置いておくための落下物ホルダ１２ｆが設けられている。この落下物ホルダ１２ｆには例えば３個の球体状の落下物３、３、３が置いてある。この落下物３、３、３は、それぞれ材質が異なっている。例えば、１つは鋼製、他の１つは木製、残りの１つは樹脂製である。仕切り材１４に落下させる落下物３を選択することで、発生する騒音の大きさや音の種類（例えば軽量衝撃音と重量衝撃音）などを変えることができるようになっている。
【００２９】
また、上記仕切り材１４を構成している各床構造体１５、１６のうち、左側の床構造体１６の上面は、図２の奥側及び右側の床構造体１５に向かって下り勾配となるように僅かに傾斜している。つまり、左側の床構造体１６上に落下した落下物３が右側の床構造体１５上に回収される形状となっている。一方、右側の床構造体１５の上面は、図２の手前に向かって下り勾配となるように僅かに傾斜している。つまり、右側の床構造体１５上の落下物３がこの右側の床構造体１５上面の手前側に案内される形状となっている。
【００３０】
図５に示すように、この右側の床構造体１５上面の手前側部分には開口１５ｅが形成されている。この開口１５ｅの下側にはホッパ１５ｆが取り付けられている。このホッパ１５ｆの下側にはガイドプレート１５ｇが設けられている。このガイドプレート１５ｇは、一端がホッパ１５ｆの下側に臨み、他端がリフト通路２２ａの上下方向中間位置に臨んでいる。また、このガイドプレート１５ｇはリフト通路２２ａに臨む側が下側になるように傾斜配置されている。右側の床構造体１５上面の手前側に案内された落下物３が開口１５ｅを経てホッパ１５ｆに回収され、ガイドプレート１５ｇによりリフト通路２２ａ内に導入される構成である。
【００３１】
また、落下物搬送機２は、リフタ２１により搬送された落下物３を仕切り材１４上面まで搬送するための搬送部材２４を備えている。この搬送部材２４は仕切り材１４上面の中央部に設けられたゲート２５と、該ゲート２５とリフタ２１の上端部とに亘る第１通路部材２６と、ゲート２５の両側に設けられて左右の各床構造体１５、１６の上方にそれぞれ延びる第２及び第３の通路部材２７、２８とを備えている。
【００３２】
上記各通路部材２６、２７、２８はアクリル樹脂の管体で成っており、その内径寸法は落下物３の外径よりも僅かに大きく設定されている。つまり、リフト機構２３によりリフト通路２２ａの上端部に達した落下物３が、第１通路部材２６を経てゲート２５に達し、該ゲート２５により第２通路部材２７または第３通路部材２８のうちの一方の通路に案内されて仕切り材１４上面に落下するよう構成されている。この際、ゲート２５により落下物３が第２通路部材２７に案内された場合には該落下物３は在来木造床構造で成る右側の床構造体１５に落下する。一方、ゲート２５により落下物３が第３通路部材２８に案内された場合には該落下物３はＡＬＣ床構造で成る左側の床構造体１６に落下する。これにより、第１通路部材２６の内部空間により本発明でいう水平通路２６ａが形成され、第２及び第３通路部材２７、２８の内部空間により本発明でいう分岐通路２７ａ、２８ａが形成されている。この構成により１台の落下物搬送機２で各床構造体１５、１６に対して選択的に落下物３を供給することができる。つまり、床構造体毎に落下物搬送機を設けておく必要がないため、装置全体としての構成の簡素化が図られている。
【００３３】
ゲート２５の具体構成について説明すると、図３に示すように、このゲート２５は鉛直軸回りに回転自在なＵ字状の回転体２５ａを備えている。この回転体２５ａの回転軸には図示しないモータの駆動軸が連結されている。通常状態では、この回転体２５ａは第１通路部材２６の下流端に対向して開放部が臨んでいる。落下物３を右側の床構造体１５に落下させる場合には、第１通路部材２６を経て回転体２５ａの開放部から該回転体２５ａの内部に落下物３を回収した状態で該回転体２５ａを図３の反時計回り方向に回転させる。これにより、回転体２５ａの開放部が第２通路部材２６に臨み、落下物３は第２通路部材２７を経て右側の床構造体１５に落下する。逆に、落下物３を左側の床構造体１６に落下させる場合には、回転体２５ａの内部に落下物３を回収した状態で該回転体２５ａを図３の時計回り方向に回転させる。これにより、回転体２５ａの開放部が第３通路部材２８に臨み、落下物３は第３通路部材２８を経て左側の床構造体１５に落下する。このように、回転体２５ａを回転させることにより、各床構造体１５、１６に対して落下物３を選択的に落下させることができるよう構成されている。
【００３４】
また、本落下物搬送機２は、各モータの駆動を制御するコントローラを備えている。このコントローラによる落下物搬送機２のモータの制御としては、床防音体験動作が開始されると、先ず、図５のＩ位置（供給口１２ｃに臨む初期位置）にあるパレット２３ｃをＩＩ位置（リフト通路２２ａの上端位置）まで上昇させた後、ＩＩＩ位置（ガイドプレート１５ｇに対向する位置）に移動させる。その後、ホッパ１５ｆ及びガイドプレート１５ｇを経た落下物３がパレット２３ｃ上に回収されると、このパレット２３ｃを再びＩＩ位置まで上昇させた後、ＩＩＩ位置に戻る。そして、上記と同様にして落下物３がパレット２３ｃ上に回収されるとこのパレット２３ｃをＩ位置に戻すように制御する。
【００３５】
一方、ゲート２５のモータの制御としては、床防音体験動作が開始されてゲート２５内に落下物３が導入されると、回転体２５ａを図３の反時計回り方向に回動させる。つまり、第２通路部材２７に落下物３を供給する。その後、再びゲート２５内に落下物３が導入されると、回転体２５ａを図３の時計回り方向に回動させる。つまり、第３通路部材２８に落下物３を供給するように制御する。
【００３６】
−床防音体験動作の説明−
次に、上記の如く構成された床防音体験装置Ｂによる床防音体験動作について説明する。この床防音体験動作は体験者が体験室内に居る状態で行われる。
【００３７】
先ず、体験者は、落下物ホルダ１２ｆ上の落下物３、３、３のうち１つを選択し、体験室１２壁面の扉１２ｄを開けて落下物３をパレット２３ｃ上に載置する。動作開始スイッチ１２ｅを押すことにより、落下物搬送機２が駆動する。この駆動により、パレット２３ｃはリフト通路２２ａ内を上昇する。パレット２３ｃがリフト通路２２ａの上端部に達すると（図５のＩＩ位置）、落下物３は第１通路部材２６に導入される。この落下物３は第１通路部材２６を経てゲート２５に達する。このゲート２５の回転体２５ａは図３の反時計回り方向に回動して落下物３を第２通路部材２７に供給する。落下物３は、この第２通路部材２７を経て右側の床構造体１５上面に落下する。この際に体験室１２内に伝達する騒音を体験者は体感する。つまり、在来木造床構造の防音状態を体験する。
【００３８】
右側の床構造体１５上面に落下した落下物３は、この床構造体１５上面の傾斜に沿って開口１５ｅの開放位置に案内され、この開口１５ｅからホッパ１５ｆに回収される。このホッパ１５ｆに回収された落下物３はガイドプレート１５ｇを経てリフト通路２２ａに戻る。この落下物３の回収動作と平行して、パレット２３ｃは図５のＩＩＩ位置に移動している。このため、落下物３はパレット２３ｃ上に戻される。
【００３９】
その後、パレット２３ｃは、リフト通路２２ａの上端部に移動する。落下物３は第１通路部材２６を経てゲート２５に達する。このゲート２５の回転体２５ａは図３の時計回り方向に回動して落下物３を第３通路部材２８に供給する。落下物３は、この第３通路部材２８を経て左側の床構造体１６上面に落下する。この際に体験室１２内に伝達する騒音を体験者は体感する。つまり、ＡＬＣ床構造の防音状態を体験する。
【００４０】
左側の床構造体１６上面に落下した落下物３は、この左側の床構造体１６及び右側の床構造体１５上面の傾斜に沿って開口１５ｅの開放位置に案内され、この開口１５ｅからホッパ１５ｆに回収される。このホッパ１５ｆに回収された落下物３はガイドプレート１５ｇを経てリフト通路２２ａに戻る。この場合にも、この落下物３の回収動作と平行して、パレット２３ｃは図５のＩＩＩ位置に移動している。このため、落下物３はパレット２３ｃ上に戻される。このようにしてパレット２３ｃ上に落下物３が戻された後、パレット２３ｃが図５のＩ位置まで下降して床防音体験動作が終了する。
【００４１】
このようにして、床防音体験装置Ｂでは、在来木造床構造の防音状態と、ＡＬＣ床構造の防音状態とを連続して体験することが可能である。このため、体験者は、床構造体の仕様の選択を納得して行うことができる。また、短時間のうちに各床構造体１５、１６の床防音体験を連続して行うことができるため、それぞれの防音状態の比較を容易に行うことが可能である。
【００４２】
尚、本実施形態では、２種類の床構造体の防音性能を比較可能とする床防音体験装置について説明したが、３種類以上の床構造体の防音性能を比較可能とするものであってもよい。
【００４３】
【発明の効果】
以上のように、本発明によれば、以下のような効果が発揮される。
【００４４】
請求項１記載の発明では、上下２つの空間を仕切る仕切り材を構成の異なる複数種類の床構造体で成し、それぞれの床構造体に対して個別に防音状態を体感できるようにしている。従来では、防音測定データをカタログで見ることで床構造の防音性能を認識していたが、本発明によれば、実際の防音状態を体感することができる。体験者は、床構造体の仕様の選択を納得して行うことができる。また、複数の床構造体のうち１つに対して落下物を選択的に供給するゲートを設けているため、床構造体毎に落下物搬送手段を設けておく必要が無くなり、装置全体としての構成の簡素化が図れる。
【００４６】
請求項２記載の発明では、各床構造体に対して連続的に落下物を落下させることができるようにしている。このため、短時間のうちに各床構造体に対する床防音体験を連続して行うことができ、それぞれの防音状態の比較を容易に行うことが可能になる。
【００４７】
請求項３記載の発明では、体験者が体験室内に居ながらリフト通路に落下物を供給できるようにしている。つまり、体験室外での操作が不要であるので、操作性が良好である。
【００４８】
請求項４記載の発明では、在来木造床構造に対してＡＬＣ床構造の方が防音性能に優れていることが容易に認識できる構成としている。従って、床防音体験装置を、ＡＬＣ床構造の防音性能の優位性を体験する装置として実現できる。
【図面の簡単な説明】
【図１】住宅設備体験施設の内部を示す施設全体図である。
【図２】床防音体験装置の正面図である。
【図３】床防音体験装置の平面図である。
【図４】落下物搬送機を体験室側から見た図である。
【図５】落下物の回収機構を説明するための図である。
【符号の説明】
Ｂ          床防音体験装置
１２        体験室
１３        騒音発生空間
１４        仕切り材
１５、１６  床構造体
２          落下物搬送機
２２ａ      リフト通路
２３        リフト機構
２５        ゲート
３          落下物
【図１】
0003705403.tif 000002
【図２】
0003705403.tif 000003
【図３】
0003705403.tif 000004
【図４】
0003705403.tif 000005
【図５】
0003705403.tif 000006